(57)【要約】【課題】長期間の使用においてもソケットと口金の緩みを防止すると共に、耐震性の向上を図ること。【解決手段】周囲に放熱フィンを放射状に有する照明器具本体１の中央より立設した筒体５の上部に口金６が設けられている。天井面より支柱１２が吊設され、その支柱１２の下部にソケット１３が設けられている。ソケット１３及び筒体５の上部を左右から覆うように補強金具本体２０を装着する。補強金具本体２０は右半割体２１と左半割体２２とで構成されている。両半割体２１、２２の内面には粘着シート３４、３６、押接部材３２が配設されている。ソケット１３及び筒体５の上部を粘着シート３４、３６及び押接部材３２を圧接することで、ソケット１３及び照明器具本体１側が強固に一体的に連結固定される。【選択図】図１１
2015133235.tif 000002
【特許請求の範囲】
【請求項１】
上方に配設されているソケット（１３）に対して、照明器具本体（１）の筒状の筒体５の上部に形成されている口金（６）を装着する照明装置であって、
略円筒状であって左右に分離可能な半割体（２１）（２２）からなる補強金具本体（２０）を形成し、
前記補強金具本体（２０）の前記右半割体（２１）及び左半割体（２２）を、前記ソケット（１３）及び筒体（５）の外面を覆うように配設し、
前記右半割体（２１）及び左半割体（２２）を連結固定して前記ソケット（１３）及び筒体（５）の外面を圧接していることを特徴とする照明器具用の補強金具。
【請求項２】
前記補強金具本体（２０）の右半割体（２１）及び左半割体（２２）の上部内壁面（３３）には弾性を有し前記ソケット（１３）の外面を圧接する粘着シート（３４）を配設していることを特徴とする請求項１に記載の照明器具用の補強金具。
【請求項３】
前記補強金具本体（２０）の右半割体（２１）及び左半割体（２２）の下部内壁面（３５）には弾性を有し前記照明器具本体（１）の筒体（５）の外面を圧接する粘着シート（３６）を配設していることを特徴とする請求項１または請求項２に記載の照明器具用の補強金具。
【請求項４】
前記右半割体（２１）及び左半割体（２２）の下部内壁面（３５）に、前記筒体（５）の傾斜角度に合わせた傾斜面（５１）を形成していることを特徴とする請求項３に記載の照明器具用の補強金具。
【請求項５】
前記補強金具本体（２０）の右半割体（２１）及び左半割体（２２）には略円弧状の押接部材（３２）を配設する段部（３１）が設けられており、
前記段部（３１）の内面にて前記ソケット（１３）の膨出した下部（１４）を圧接していることを特徴とする請求項１〜請求項４のいずれかに記載の照明器具用の補強金具。
【請求項６】
前記押接部材（３２）の背面側には上下方向のスリット（３７）が形成されており、
前記スリット（３７）に嵌まるリブ（４０）を前記右半割体（２１）及び左半割体（２２）の内面に形成していることを特徴とする請求項５に記載の照明器具用の補強金具。
【請求項７】
前記補強金具本体（２０）の右半割体（２１）及び左半割体（２２）の下部の両側には外方へ突出する舌片（４１）（４２）がそれぞれ形成されており、
一方の舌片（４１）には穴（４５）が穿孔されており、前記穴（４５）に挿入する突起（５０）が前記舌片（４１）と対向する他方の舌片（４２）に突設されていることを特徴とする請求項１〜請求項６のいずれかに記載の照明器具用の補強金具。
【請求項８】
前記一方の舌片（４１）にはネジ（４３）を挿通させる挿通孔（４４）が穿孔されており、前記ネジ（４３）が螺着されるねじ穴（４７）が前記舌片（４１）と対向する他方の舌片（４２）に形成されていることを特徴とする請求項７に記載の照明器具用の補強金具。
【発明の詳細な説明】
【技術分野】
【０００１】
本発明は、天井面などから支柱を介して、あるいは直接照明器具が吊設される照明器具用の補強金具に関するものである。
【背景技術】
【０００２】
図２０は、天井面などから支柱を介して吊設されるこの種の照明器具本体１を示しており、図２０（ａ）は照明器具本体１の平面図を示し、図２０（ｂ）は照明器具本体１の正面図を示している。
また、図２１は照明器具本体１の斜め上から見た斜視図を、図２２は照明器具本体１の斜め下から見た斜視図をそれぞれ示しており、図２３は照明器具本体１の底面図を示している。
【０００３】
光源に発光ダイオード（ＬＥＤ）を用いたこの種の照明器具としては、例えば、本出願人による下記に示す特許文献１が挙げられる。
【先行技術文献】
【特許文献】
【０００４】
【特許文献１】特開２０１２−１６０２６８号公報（特許第５２６３８４６号）
【０００５】
図２０〜図２３に示すように、この照明器具本体１は光源に複数の発光ダイオードを用いており、下部には複数の放熱フィン２が放射状に設けられている。照明器具本体１の下面には円形で下方に半球状に突出した多数のレンズ部３を一体に有し、偏平で円板状のレンズ本体４が配設されている。
また、照明器具本体１の中央部には略円筒状で、上部に至るほど細径とした筒体５が立設されており、この筒体５の上部に口金６が設けられている。
【発明の概要】
【発明が解決しようとする課題】
【０００６】
図２４は、照明器具本体１を天井面１０に吊設する場合を示しており、天井面１０からフランジ１１を介して円筒状の支柱１２が垂設されており、この支柱１２の下部にソケット１３が設けられている。
このソケット１３に照明器具本体１の口金６を挿入し螺進させることで、口金６がソケット１３に螺着して照明器具本体１が天井面１０より垂設した支柱１２に図２５に示すように装着されることになる。
【０００７】
しかしながら、照明器具本体１は、単にソケット１３に口金６を螺着して取り付けているだけなので、地震などの影響で長期間にわたって使用していると、ソケット１３と口金６との間で緩みが生じたり、大地震の場合ではソケット１３が破損するなどの耐震性に難があるという問題があった。
【０００８】
本発明は上述の問題点に鑑みて提供したものであって、長期間の使用においてもソケットと口金の緩みを防止すると共に、耐震性の向上を図ることを目的とした照明器具用の補強金具を提供するものである。
【課題を解決するための手段】
【０００９】
そこで、本発明の請求項１に記載の照明器具用の補強金具では、上方に配設されているソケット１３に対して、照明器具本体１の筒状の筒体５の上部に形成されている口金６を装着する照明装置であって、
略円筒状であって左右に分離可能な半割体２１、２２からなる補強金具本体２０を形成し、
前記補強金具本体２０の前記右半割体２１及び左半割体２２を、前記ソケット１３及び筒体５の外面を覆うように配設し、
前記右半割体２１及び左半割体２２を連結固定して前記ソケット１３及び筒体５の外面を圧接していることを特徴としている。
【００１０】
請求項２に記載の照明器具用の補強金具では、前記補強金具本体２０の右半割体２１及び左半割体２２の上部内壁面３３には弾性を有し前記ソケット１３の外面を圧接する粘着シート３４を配設していることを特徴としている。
【００１１】
請求項３に記載の照明器具用の補強金具では、前記補強金具本体２０の右半割体２１及び左半割体２２の下部内壁面３５には弾性を有し前記照明器具本体１の筒体５の外面を圧接する粘着シート３６を配設していることを特徴としている。
【００１２】
請求項４に記載の照明器具用の補強金具では、前記右半割体２１及び左半割体２２の下部内壁面３５に、前記筒体５の傾斜角度に合わせた傾斜面５１を形成していることを特徴としている。
【００１３】
請求項５に記載の照明器具用の補強金具では、前記補強金具本体２０の右半割体２１及び左半割体２２には略円弧状の押接部材３２を配設する段部３１が設けられており、
前記段部３１の内面にて前記ソケット１３の膨出した下部１４を圧接していることを特徴としている。
【００１４】
請求項６に記載の照明器具用の補強金具では、前記押接部材３２の背面側には上下方向のスリット３７が形成されており、
前記スリット３７に嵌まるリブ４０を前記右半割体２１及び左半割体２２の内面に形成していることを特徴としている。
【００１５】
請求項７に記載の照明器具用の補強金具では、前記補強金具本体２０の右半割体２１及び左半割体２２の下部の両側には外方へ突出する舌片４１、４２がそれぞれ形成されており、
一方の舌片４１には穴４５が穿孔されており、前記穴４５に挿入する突起５０が前記舌片４１と対向する他方の舌片４２に突設されていることを特徴としている。
【００１６】
請求項８に記載の照明器具用の補強金具では、前記一方の舌片４１にはネジ４３を挿通させる挿通孔４４が穿孔されており、前記ネジ４３が螺着されるねじ穴４７が前記舌片４１と対向する他方の舌片４２に形成されていることを特徴としている。
【発明の効果】
【００１７】
本発明の請求項１に記載の照明器具用の補強金具によれば、略円筒状であって左右に分離可能な半割体２１、２２からなる補強金具本体２０を形成し、前記補強金具本体２０の前記右半割体２１及び左半割体２２を、前記ソケット１３及び筒体５の外面を覆うように配設し、前記右半割体２１及び左半割体２２を連結固定して前記ソケット１３及び筒体５の外面を圧接しているものであり、そのため、補強金具本体２０によりソケット１３及び照明器具本体１とが一体的に強固に連結されることで、長期間の使用によるソケット１３と口金６との緩みを防止することができる。また、大地震が発生してもソケット１３と照明器具本体１とは一体となって揺れるために、ソケット１３は破損することもなく、照明器具本体１も落下することはない。従って、補強金具本体２０により天井面１０より吊設されている照明器具に対して耐震性を非常に向上させることができる。
【００１８】
請求項２に記載の照明器具用の補強金具によれば、前記補強金具本体２０の右半割体２１及び左半割体２２の上部内壁面３３には弾性を有し前記ソケット１３の外面を圧接する粘着シート３４を配設していることで、粘着シート３４によりソケット１３の外面を面接触させることができ、補強金具本体２０とソケット１３の外面とを強固に固定させることができる。
【００１９】
請求項３に記載の照明器具用の補強金具によれば、前記補強金具本体２０の右半割体２１及び左半割体２２の下部内壁面３５には弾性を有し前記照明器具本体１の筒体５の外面を圧接する粘着シート３６を配設しているので、粘着シート３６により筒体５の外面を面接触させることができ、補強金具本体２０と筒体５の外面とを強固に固定させることができる。
【００２０】
請求項４に記載の照明器具用の補強金具によれば、前記右半割体２１及び左半割体２２の下部内壁面３５に、前記筒体５の傾斜角度に合わせた傾斜面５１を形成しているので、筒体５の外面が傾斜角度を有する場合でも、筒体５の外面を面接触させることができ、補強金具本体２０と筒体５の外面とを強固に固定させることができる。
【００２１】
請求項５に記載の照明器具用の補強金具によれば、前記補強金具本体２０の右半割体２１及び左半割体２２には略円弧状の押接部材３２を配設する段部３１が設けられており、前記段部３１の内面にて前記ソケット１３の膨出した下部１４を圧接していることで、ソケット１３の膨出した下部１４と補強金具本体２０とを強固に固定させることができる。
【００２２】
請求項６に記載の照明器具用の補強金具によれば、前記押接部材３２の背面側には上下方向のスリット３７が形成されており、前記スリット３７に嵌まるリブ４０を前記右半割体２１及び左半割体２２の内面に形成していることで、押接部材３２と右半割体２１及び左半割体２２との位置決めを容易に行なうことができる。
【００２３】
請求項７に記載の照明器具用の補強金具によれば、前記補強金具本体２０の右半割体２１及び左半割体２２の下部の両側には外方へ突出する舌片４１、４２がそれぞれ形成されており、一方の舌片４１には穴４５が穿孔されており、前記穴４５に挿入する突起５０が前記舌片４１と対向する他方の舌片４２に突設されていることで、右半割体２１及び左半割体２２の互いの突起５０を対向する右半割体２１及び左半割体２２の穴４５に挿入することで、右半割体２１及び左半割体２２を容易に位置決めすることができる。
【００２４】
請求項８に記載の照明器具用の補強金具によれば、前記一方の舌片４１にはネジ４３を挿通させる挿通孔４４が穿孔されており、前記ネジ４３が螺着されるねじ穴４７が前記舌片４１と対向する他方の舌片４２に形成されていることで、ネジ４３をねじ穴４７にそれぞれ螺着することで、右半割体２１及び左半割体２２の両者を確実に固定することができ、補強金具本体２０をソケット１３及び照明器具本体１側に強固に固定でき、ソケット１３及び照明器具本体１を一体化することができる。
【図面の簡単な説明】
【００２５】
【図１】本発明の実施の形態における補強金具本体の斜め上から見た斜視図である。
【図２】本発明の実施の形態における補強金具本体の斜め下から見た斜視図である。
【図３】（ａ）〜（ｃ）は本発明の実施の形態における補強金具本体の平面図、正面図及び底面図である。
【図４】本発明の実施の形態における補強金具本体の側面図である。
【図５】本発明の実施の形態における補強金具本体の背面図である。
【図６】本発明の実施の形態における補強金具本体の分解斜視図である。
【図７】本発明の実施の形態における補強金具本体のボディの側面図である。
【図８】本発明の実施の形態における補強金具本体のボディの断面図である。
【図９】本発明の実施の形態における右半割体と左半割体とを分離した状態の平面図である。
【図１０】本発明の実施の形態における補強金具本体をソケット及び照明器具本体に取り付ける場合の説明図である。
【図１１】本発明の実施の形態における補強金具本体をソケット及び照明器具本体に取り付ける場合の説明図である。
【図１２】本発明の実施の形態における補強金具本体をソケット及び照明器具本体に取り付ける場合の説明図である。
【図１３】本発明の実施の形態における補強金具本体をソケット及び照明器具本体に取り付ける場合の説明図である。
【図１４】本発明の実施の形態における補強金具本体をソケット及び照明器具本体に取り付けた状態を示す正面図である。
【図１５】本発明の実施の形態におけるソケットに照明器具本体を装着して補強金具本体を取り付けた状態を示す正面図である。
【図１６】本発明の実施の形態におけるソケットに照明器具本体を装着して補強金具本体を取り付けた状態の斜め下から見た斜視図である。
【図１７】本発明の実施の形態におけるソケットに照明器具本体を装着して補強金具本体を取り付けた状態の斜め上から見た斜視図である。
【図１８】本発明の実施の形態における照明器具本体を斜めに取り付けた状態示す図である。
【図１９】本発明の実施の形態における照明器具本体を横方向に取り付けた状態を示す図である。
【図２０】（ａ）（ｂ）は照明器具本体の平面図及び正面図である。
【図２１】照明器具本体を斜め上からみた斜視図である。
【図２２】照明器具本体を斜め下からみた斜視図である。
【図２３】照明器具本体の底面図である。
【図２４】天井面より吊設されているソケットに照明器具本体を取り付ける場合の説明図である。
【図２５】従来例の天井面より吊設されているソケットに照明器具本体を取り付けた場合の説明図である。
【発明を実施するための形態】
【００２６】
以下、本発明の実施の形態を図面を参照して詳細に説明する。図１は本発明の補強金具本体２０の斜め上から見た斜視図を示し、図２は補強金具本体２０の斜め下から見た斜視図を示している。
また、図３（ａ）は補強金具本体２０の平面図を、図３（ｂ）は補強金具本体２０の正面図を、図３（ｃ）は補強金具本体２０の底面図をそれぞれ示している。さらに、図４は補強金具本体２０の側面図を示し、図５は補強金具本体２０の背面図を示している。また、図６は補強金具本体２０の分解斜視図を示している。
【００２７】
材質を例えば、アルミ製とし、略円筒状の補強金具本体２０は、図１〜図６に示すように、左右に分離可能とした右半割体２１と左半割体２２とで構成されている。また、右半割体２１と左半割体２２は、点対称の構造となっていて、同様の部材にてそれぞれ構成されている。
なお、右半割体２１と左半割体２２とは基本的には同じ部材を用いているために、部材には同じ番号を付している。
右半割体２１は、略円弧状のボディ３０と、このボディ３０の段部３１に載置される略円弧状の押接部材３２と、ボディ３０の上部内壁面３３に配置されるゴム製の粘着シート３４と、ボディ３０の下部内壁面３５に配置される粘着シート３４と同様の粘着シート３６とで構成されている。
【００２８】
押接部材３２の背部にはスリット３７が上下方向に凹設されていて、このスリット３７に対応し、該スリット３７に嵌まるリブ４０がボディ３０の内壁面に一体に上下方向に突設されている。
また、ボディ３０の下部の両側には舌片４１、４２が一体に外側方に向けて形成されており、一方の舌片４１の上部にはネジ４３が挿通する挿通孔４４が穿設されている。また、舌片４１の下部には穴４５が穿設されている。
【００２９】
他方の舌片４２の上部にはボス部４６が一体に形成されており、このボス部４６にネジ４３が螺着するねじ穴４７が螺刻されている。また、舌片４２の下部には円柱状の突起５０が一体に突設されており、この突起５０が対向する穴４５に挿入されて、右半割体２１と左半割体２２とを左右から合わせた際に位置決めされるようになっている。
これにより、右半割体２１及び左半割体２２の互いの突起５０を対向する右半割体２１及び左半割体２２の穴４５に挿入することで、右半割体２１及び左半割体２２を容易に位置決めすることができる。
【００３０】
また、図７は右半割体２１の側面図を示し、図８は断面図を示している。図８に示すように下部内壁面３５は下方に至るほど拡開する傾斜面５１となっている。この傾斜面５１の傾斜角度は照明器具本体１の筒体５の傾斜角度と対応させており、粘着シート３６を介して右半割体２１の下部内壁面３５と、照明器具本体１の筒体５の外周面とを面接触させている。
これにより、筒体５の外面が傾斜角度を有する場合でも、筒体５の外面を面接触させることができ、補強金具本体２０と筒体５の外面とを強固に固定させることができる。
【００３１】
なお、左半割体２２の構成も右半割体２１の構成と同じなので、説明は省略する。
【００３２】
次に、右半割体２１の組立について説明する。ボディ３０のリブ４０に押接部材３２のスリット３７を嵌めて押接部材３２を段部３１の上に配設する。スリット３７とリブ４０により押接部材３２の周方向の移動を規制しており、また、押接部材３２の外周面とボディ３０の内壁面とは接着剤により接着固定している。このように、押接部材３２のスリット３７に嵌めるリブ４０を右半割体２１及び左半割体２２に内面に形成していることで、押接部材３２と右半割体２１及び左半割体２２との位置決めを容易にすることができる。
次に、ボディ３０の上部内壁面３３に粘着シート３４を貼着し、下部内壁面３５に粘着シート３６を貼着する。これにより右半割体２１が組み立てられる。左半割体２２も同様に組み立てる。
【００３３】
右半割体２１と左半割体２２とを組み立てた後、両側の突起５０を対向する穴４５にそれぞれ挿入することで、両者が位置決めされて合体する。次に、ネジ４３をそれぞれ挿通孔４４を介して相手のねじ穴４７に螺進させて螺着することで、右半割体２１と左半割体２２とは、図１〜図５に示すように合体して補強金具本体２０が組み立てられる。
また、ネジ４３を取り外すことで、図９に示すように、右半割体２１と左半割体２２とを分離可能にすることができる。
【００３４】
次に、天井面１０より吊設されている支柱１２のソケット１３に照明器具本体１を取り付けた状態で（図２５参照）、補強金具本体２０をソケット１３と口金６を覆うようにして装着する場合について説明する。
【００３５】
先ず、合体している補強金具本体２０を図９に示すように、右半割体２１と左半割体２２とを左右に分離する。そして、図１０〜図１３に示すように、ソケット１３及び照明器具本体１の筒体５の上部に位置するように右半割体２１と左半割体２２とを左右から合わせる。
【００３６】
ここで、両半割体２１、２２の押接部材３２がソケット１３の外側方へ膨出した下部１４を当接するようにして右半割体２１と左半割体２２とでソケット１３及び筒体５の上部を挟持する。
この時、上部の粘着シート３４はソケット１３の外側面に当接し、下部の粘着シート３６は筒体５の外側面に当接する。ボディ３０の下部内壁面３５は上述したように傾斜面５１を形成しているので、この傾斜面５１と筒体５の外面とが粘着シート３６を介して面接触している。
【００３７】
次に、両半割体２１、２２の両側からネジ４３を挿通孔４４を介して相手のねじ穴４７に螺進していく。このネジ４３の螺進に伴い、補強金具本体２０の押接部材３２がソケット１３の下部１４に圧接し、また、上部の粘着シート３４はソケット１３の外側面を圧接していき、下部の粘着シート３６も照明器具本体１の筒体５の外側面を圧接していく。
【００３８】
ネジ４３を上述のように螺進していき、補強金具本体２０がソケット１３及び筒体５に強固に固定された状態でネジ４３の螺進を停止する。これにより、図１４に示すように、補強金具本体２０をソケット１３及び筒体５の外側面に強固に固定することができ、ソケット１３と照明器具本体１とが一体的に強固に連結されることになる。
【００３９】
このように、補強金具本体２０によりソケット１３及び照明器具本体１とが一体的に強固に連結されることで、長期間の使用によるソケット１３と口金６との緩みを防止することができる。また、大地震が発生してもソケット１３と照明器具本体１とは一体となって揺れるために、ソケット１３は破損することもなく、照明器具本体１も落下することはない。従って、補強金具本体２０により天井面１０より吊設されている照明器具に対して耐震性を非常に向上させることができる。
そのため、建設用車両や土木用車両に使用する照明器具に対しても、補強金具本体２０を用いることで、照明器具の破損等を防止することができる。
【００４０】
なお、図１５〜図１７は、単にソケット１３に照明器具本体１を取り付けた状態で、補強金具本体２０を装着した場合をそれぞれ示している。
図１５〜図１７では、天井面１０にソケット１３が直付けされている場合や、あるいは天井内のソケット１３が埋設されている場合に適用できる。ソケット１３が天井内に埋設されている場合でも、ソケット１３の周囲には空間をあるので、この空間を介してソケット１３及び照明器具本体１の筒体５に補強金具本体２０を装着することができる。
【００４１】
このように、ソケット１３と照明器具本体１の筒体５の上部を覆うように補強金具本体２０を取り付けることで、ソケット１３と照明器具本体１を一体的に連結されることになる。そのため、図１８に示すように、斜め４５度に照明器具本体１を設置することもでき、また、図１９に示すように横方向に照明器具本体１を設置することも可能となる。
【符号の説明】
【００４２】
１  照明器具本体
５  筒体
６  口金
１０  天井面
１２  支柱
１３  ソケット
１４  下部
２０  補強金具本体
２１  右半割体
２２  左半割体
３０  ボディ
３１  段部
３２  押接部材
３３  上部内壁面
３４  粘着シート
３５  下部内壁面
３６  粘着シート
３７  スリット
４０  リブ
４１  舌片
４２  舌片
４３  ネジ
４４  挿通孔
４５  穴
４６  ボス部
４７  ねじ穴
５０  突起
５１  傾斜面
【図１】
2015133235.tif 000003
【図２】
2015133235.tif 000004
【図３】
2015133235.tif 000005
【図４】
2015133235.tif 000006
【図５】
2015133235.tif 000007
【図６】
2015133235.tif 000008
【図７】
2015133235.tif 000009
【図８】
2015133235.tif 000010
【図９】
2015133235.tif 000011
【図１０】
2015133235.tif 000012
【図１１】
2015133235.tif 000013
【図１２】
2015133235.tif 000014
【図１３】
2015133235.tif 000015
【図１４】
2015133235.tif 000016
【図１５】
2015133235.tif 000017
【図１６】
2015133235.tif 000018
【図１７】
2015133235.tif 000019
【図１８】
2015133235.tif 000020
【図１９】
2015133235.tif 000021
【図２０】
2015133235.tif 000022
【図２１】
2015133235.tif 000023
【図２２】
2015133235.tif 000024
【図２３】
2015133235.tif 000025
【図２４】
2015133235.tif 000026
【図２５】
2015133235.tif 000027